(57)【要約】【課題】  消火栓用バルブに圧力調整機構を組み込むことにより、省スペース化と部品点数を削減を図ることができてメンテナンスが行い易く、更に、内部に組み込まれた圧縮スプリングの圧縮力の変化がなく長期間の使用に耐えることができるようにする。【解決手段】  弁座６に当、離座する弁体７と弁ロッド９とが別体に形成され、前記弁体７には下側に向けて圧力調整用ロッド１０が一体に垂下されると共に、この圧力調整用ロッド１０の下端に、弁箱の下方に設けた筒状体１１内へ上下動可能に挿着した前記弁体７と同一の表面積を有するピストン部材１２が一体に設けられ、更に、前記ピストン部材１２の下側に、圧力調整用ロッド１０を介して前記弁体７を上方へ押圧する圧縮スプリング１３が配設されていて、この圧縮スプリング１３の上向きの押圧力を調整することにより、流体出口４より流出する水の水圧を調整するように構成した。【選択図】  図１
2005143773.tif 000002
【特許請求の範囲】
【請求項１】
弁座に当、離座する弁体と弁ロッドとが別体に形成され、前記弁体には下側に向けて圧力調整用ロッドが一体に垂下されると共に、この圧力調整用ロッドの下端に、弁箱の下方に設けた筒状体内へ上下動可能に挿着した前記弁体と同一の表面積を有するピストン部材が一体に設けられ、更に、前記ピストン部材の下側に、圧力調整用ロッドを介して前記弁体を上方へ押圧する圧縮スプリングが配設されていて、この圧縮スプリングの上向きの押圧力を調整することにより、流体出口より流出する水の水圧を調整するように構成したことを特徴とする消火栓用バルブ。
【請求項２】
前記圧縮スプリングの上向きの押圧力を調整する部材は、前記筒状体の下端の蓋部に形成した螺子部と、この螺子部に螺合して上下移動する調整ボルトと、前記筒状体内の下端に配設されたスプリング受け板とで構成されている請求項１に記載の消火栓用バルブ。
【請求項３】
前記圧縮スプリングの上向きの押圧力を調整する部材は、前記弁ロッドと一体的に下方へ向けて筒状体の下方部まで延設され、弁体及び圧力調整用ロッド並びにピストン部材を貫通して前記弁ロッドと共に上下動する垂設ロッドと、この垂設ロッドの下端に上下移動可能に配設されたスプリング受け板と、前記垂設ロッドの下端に設けられた螺子部に螺合する調整ナットとで構成されている請求項１に記載の消火栓用バルブ。
【発明の詳細な説明】
【技術分野】
【０００１】
本発明は、バルブ本体内に圧力調整機構を備えた消火栓用バルブに関するものである。
【背景技術】
【０００２】
図４は、従来技術の一例を示すものであり、当該消火栓装置１０９は、給水装置（図示略）と、給水装置から複数階ある建物の各階に送水する１本の送水管１０３と、自動減圧弁１１０と、消防隊用消火栓１０５と、消火ホース１０６を接続した一般用消火栓１０７とを１つの筐体１０８内に収納することにより形成されている。即ち、送水管１０３から消防隊用消火栓１０５および一般用消火栓１０７にそれぞれ接続される１対の給水管１０４ａ、１０４ｂとが分岐されており、前記給水管１０４ａと一般用消火栓１０７との間には、給水圧力を所定値に自動的に調整する自動減圧弁１１０が設けられている。
（例えば、特許文献１参照）。
ところが、従来の消火栓装置１０９では、一般用消火栓１０７に圧力調整機構を備えていないので、自動減圧弁１１０を設けているために、消火栓装置１０９が大型化すると共に製造コストが上昇するという問題があった。
【０００３】
【特許文献１】特開２００３−１９９８４１号公報
【発明の開示】
【発明が解決しようとする課題】
【０００４】
本発明は、上記した従来の実情に鑑みてなされたものであり、消火栓用バルブに圧力調整機構を組み込むことにより省スペース化と部品点数の削減ができてメンテナンスが行い易く、更に、内部に組み込まれた圧縮スプリングの圧縮力が変化を起こさず長期間の使用に耐えることができるようにした消火栓用バルブを提供することを目的とするものである。
【課題を解決するための手段】
【０００５】
本発明は、上記課題を解決するために提案されたものであって、請求項１に記載の発明は、弁座に当、離座する弁体と弁ロッドとが別体に形成され、前記弁体には下側に向けて圧力調整用ロッドが一体に垂下されると共に、この圧力調整用ロッドの下端に、弁箱の下方に設けた筒状体内へ上下動可能に挿着した前記弁体と同一の表面積を有するピストン部材が一体に設けられ、更に、前記ピストン部材の下側に、圧力調整用ロッドを介して前記弁体を上方へ押圧する圧縮スプリングが配設されていて、この圧縮スプリングの上向きの押圧力を調整することにより、流体出口より流出する水の水圧を調整するように構成したものである。
【０００６】
請求項２に記載の発明は、前記圧縮スプリングの上向きの押圧力を調整する部材は、前記筒状体の下端の蓋部に形成した螺子部と、この螺子部に螺合して上下移動する調整ボルトと、前記筒状体内の下端に配設されたスプリング受け板とで構成されているものである。
【０００７】
請求項３に記載の発明は、前記圧縮スプリングの上向きの押圧力を調整する部材は、前記弁ロッドと一体的に下方へ向けて筒状体の下方部まで延設され、弁体及び圧力調整用ロッド並びにピストン部材を貫通して前記弁ロッドと共に上下動する垂設ロッドと、この垂設ロッドの下端に上下移動可能に配設されたスプリング受け板と、前記垂設ロッドの下端に設けられた螺子部に螺合する調整ナットとで構成されているものである。
【発明の効果】
【０００８】
請求項１に記載の発明によれば、消火栓用バルブに圧力調整機構を組み込み、当該圧力調整機構を形成する圧縮スプリングの弾性力を調整することにより、流体出口側の放水圧力Ｐ2を常に自動的に設定値に保持することができる。また、消火栓装置の省スペース化と部品点数の削減を図ることができてメンテナンスが行い易くなる。
【０００９】
請求項２に記載の発明によれば、圧縮スプリングの圧縮力を調整するボルト部材とナットとが弁箱の外側に有るので、外側からナットを回してボルト部材を螺進螺退して、圧縮スプリングの圧縮力を調整することができる。
【００１０】
請求項３に記載の発明によれば、螺子部と調整ナットを内部に組み込んでいるので、この螺子部とナット部材が外側に露出せずに見栄えをよくすることができるうえ、内部に組み込まれた圧縮スプリングの圧縮力が変化することがなく長期間の使用に耐えることができる。
【発明を実施するための最良の形態】
【００１１】
以下、本発明に係る消火栓用バルブの実施の形態について、図を参照しつつ説明する。
図１は本発明の第１実施形態の消火栓用バルブを示す部分断面正面図である。
図１において、１はボデー、２は流体入口、３は入口側水通路、４は流体出口、５は出口側水通路、６は弁座、７は弁体、８はハンドル、９はロッド、１０は圧力調整用ロッド、１１は筒状体、１２はピストン部材、１３は圧縮スプリング、１４ａはねじ孔、１４は圧力調整用ボルト部材、１５ａは弛み止めナット、１６はスプリング受け板である。
【００１２】
この実施形態の消火栓用バルブの構造は、ボデー１の一方側に流体入口２から通じる入口側水通路３が設けられ、他方側に流体出口４に通じる出口側水通路５が設けられている。入口側水通路３と流体出口４の中途部に弁座６が設けられ、この弁座６の開口部６ａが弁体７で開閉されるようになっている。
弁体７の上部側には弁体７と別体にロッド９が設けられ、その上端にロッド９を上下移動するためのハンドル８が設けられている。即ち、弁体７の上面側に筒状部７ａが突設され、この筒状部７ａ内にロッド９の下端が上下移動可能に嵌め入れられている。
【００１３】
弁体７の下面側には、下方に向けて圧力調整用ロッド１０が垂設されていて、この圧力調整用ロッド１０はボデー１の下側に設けられた筒状体１１内に入り込んでいる。この筒状体１１内には、上下摺動可能にピストン部材１２が配設されており、当該ピストン部材１２へ前記圧力調整用ロッド１０の下端部が固定されている。このピストン部材１２の表面積は弁体７と同じ表面積になっている。又、筒状体１１の上端は離壁１１ａが設けられ、この離壁１１ａに小孔１１ｂが穿設されている。
【００１４】
筒状体１１内のピストン部材１２の下側には、ピストン部材１２と圧力調整用ロッド１０を介して弁体７を上方へ押圧する力を調整する圧縮スプリング１３が配設されており、また、筒状体１１の内部下端側には、スプリング受け板１６が配設されている。このスプリング受け板１６の下面には、筒状体１１の下端の蓋部１１ｃに形成したねじ孔１４ａに螺挿した圧力調整用ボルト部材１４が設けられている。この圧力調整用ボルト部材１４には、弛み止めナット１５ａが螺合されており、前記圧力調整用ボルト部材１４を回転させることによって、圧力調整用ボルト部材１４を上下移動させ、スプリング受け板１６を筒状体１１内で上下移動して圧縮スプリング１３の上向きの押圧力を調整するように構成されている。
【００１５】
ここで、弁体７とピストン部材１２の表面積は同一であり、この表面積をＳ1とし、圧縮スプリング１３の弾力をｆとし、入口側（送水元側）の水の圧力をＰ1とし、出口側（送水先側）の水の圧力をＰ2とし、圧力調整用ロッド１０にかかる下向きの力をＦDとし、圧力調整用ロッド１０にかかる上向きの力をＦUとすると、
ＦD＝Ｐ2Ｓ1＋Ｐ1Ｓ1
ＦU＝ｆ＋Ｐ1Ｓ1
となる。
圧力調整用ロッド１０がバランスしたときには、
ＦD＝ＦUとなるため、
Ｐ2Ｓ1＋Ｐ1Ｓ1−（ｆ＋Ｐ1Ｓ1）＝０となる。
従って、
Ｐ2Ｓ1＝ｆ
となって、圧縮スプリング１３の弾力ｆを調整することにより、流体出口（送水先側）４の水の圧力Ｐ2は常に圧縮スプリング１３の弾力をｆに保持できることになる。
【００１６】
このことにより、圧縮スプリング１３の弾力を調整することで、適度な減圧を行うことができることとなる。即ち、圧縮スプリング１３の圧縮力ｆが変わらないと、一定の放水圧に保持されることになる。
【００１７】
この実施形態の消火栓用バルブによれば、消火栓用バルブに圧力調整機構を組み込んでいるため、省スペース化と部品点数削減を図ることができてメンテナンスが行い易い。しかも、圧縮スプリング１３の圧縮力を長期間一定値に保つことができる。
【００１８】
図２は第２実施形態の消火栓用バルブを示す部分断面正面図である。尚、上記した第１実施形態の場合と同一部材、同一箇所には、同一符号を付してその説明を省略する。
この第２実施形態の消火栓用バルブでは、弁ロッド９の下端にこれと一体的に下方へ延びる垂設ロッド１７が形成されており、当該垂設ロッド１７は弁体７、圧力調整用ロッド１０及びピストン部材１２を挿通して、筒状体１１の内部下方まで延設されていて、前記弁ロッド９と一体となって上下方向へ移動する。そして、この垂設ロッド１７の下端に、上下移動可能にスプリング受け板１６が配設されている。このスプリング受け板１６の下面側の垂設ロッド１７の下端には螺子部１７ａが設けられており、この螺子部１７ａに螺合する調整ナット１５が設けられている。筒状体１１の下端には蓋体１８が取りつけ取り外し可能に取りつけられている。
【００１９】
この第２実施形態の消火栓用バルブによれば、螺子部１７ａと調整ナット１８を内部に組み込んでいるので、この螺子部１７ａとナット部材１８が外側に露出せずに見栄えをよくすることができる。また、弁ロッド９を下方へ移動させてバルブを閉鎖状態に保持しているときには、圧縮スプリング１３は延びた状態（非圧縮）になっている。そして、弁を開放した時、受け板１６が上方へ持ち上げられて圧縮スプリング１３に圧縮力ｆが発生するため、スプリングの圧縮力ｆが長期に渡って一定値に保持される。
尚、第１実施形態で数式を用いて表した内容については、この第２実施形態でも同様なので、その説明を省略する。
【００２０】
図３は本発明の消火栓バルブを建物用消火設備に適用した例を示す正面図である。
これは、図３に示すように、給水装置（図示略）から複数階の建物の各階に送水する１本の送水管１９が設けられ、この送水管１９から各階の消防用消火栓２０と本発明の消火栓用バルブからなる一般用消火栓２１とに別々に給水するための２本の給水管２２、２３とが設けられている。
【００２１】
このように、本発明の消火栓用バルブを一般用消火栓２１として使用することによって、従来備えられていた自動減圧弁を設ける必要がなく、部品点数を削減することができて、全体の構造を簡略化することができる。
尚、本発明の消火栓用バルブは、一般用消火栓として使用できるだけでなく、消防用消火栓２０と兼用する以外の消火栓装置のバルブとしても利用できることは勿論である。
【図面の簡単な説明】
【００２２】
【図１】本発明の第１実施形態の消火栓用バルブを示す部分断面正面図である。
【図２】第２実施形態の消火栓用バルブを示す部分断面正面図である。
【図３】本発明の消火栓バルブを建物用消火設備に適用した例を示す正面図である。
【図４】従来の建物用消火設備を示す正面図である。
【符号の説明】
【００２３】
１はボデー、２は流体入口、３は入口側水通路、４は流体出口、５は出口側水通路、６は弁座、７は弁体、７ａは筒状部。８はハンドル、９はロッド、１０は圧力調整用ロッド、１１は筒状体、１１ａは隔壁、１１ｂは小孔、１１ｃは蓋部、１２はピストン部材、１３は圧縮スプリング、１４ａはねじ孔、１４は圧力調整用ボルト部材、１５ａは弛み止めナット、１５は調整ナット、１６はスプリング受け板、１７は垂設ロッド、１７ａは螺子部、１８は蓋体、１９は送水管、２０は消防用消火栓、２１は一般用消火栓、２２は給水管、２３は給水管。
【図１】
2005143773.tif 000003
【図２】
2005143773.tif 000004
【図３】
2005143773.tif 000005
【図４】
2005143773.tif 000006